(57)【要約】  セットを解体する方法及び第１パネル（１０）、第２パネル（２０ａ）、及び第２パネル（２０ａ）に対する第１パネル（１０）のロックのための機械的ロック装置（３０）を備えるセット（１）であって、第１パネル（１０）は、第１エッジ面（１１）及び第１パネル面（１２）を備え、第２パネル（２０ａ）は第２パネル面（２２）を備え、第１エッジ面（１１）は、第１パネル及び第２パネル（１０、２０ａ）のロック位置において第２パネル面（２２）に面しており、機械的ロック装置（３０）は、第２パネル面（２２）におけるパネル溝（１３３）、パネル溝（１３３）に配置される可撓性舌部（６）、第１エッジ面（１１）におけるロッド形状要素（３１）、及び第２パネル面（２２）において第２パネル面（２２）からパネル溝（１３３）まで延びる挿入溝（３２）を備え、ロッド形状要素（３１）は、挿入溝（３２）内に挿入されるように構成され、ロッド形状要素（３１）は凹部（３４）を備え、可撓性舌部（６）は、第２パネル面（２２）に垂直な第１方向における第２パネル（２０ａ）に対する第１パネル（１０）のロックのため、凹部（３４）と協働するように構成され、パネル溝（１３３）は、第２パネル面（２２）を考慮して第２パネル（２０）において角度αで延びる、セット（１）。
2021521387.tif 000002
【特許請求の範囲】
【請求項１】
第１パネル（１０）、第２パネル（２０ａ）、及び前記第２パネル（２０ａ）に対する前記第１パネル（１０）のロックのための機械的ロック装置（３０）を備えるセット（１）であって、
−  前記第１パネル（１０）は、第１エッジ面（１１）及び第１パネル面（１２）を備え、
−  前記第２パネル（２０ａ）は第２パネル面（２２）を備え、
−  前記第１エッジ面（１１）は、前記第１パネル及び前記第２パネル（１０、２０ａ）のロック位置において前記第２パネル面（２２）に面しており、
−  前記機械的ロック装置（３０）は、前記第２パネル面（２２）におけるパネル溝（１３３）、前記パネル溝（１３３）に配置される可撓性舌部（６）、前記第１エッジ面（１１）におけるロッド形状要素（３１）、及び前記第２パネル面（２２）において前記第２パネル面（２２）から前記パネル溝（１３３）まで延びる挿入溝（３２）を備え、
−  前記ロッド形状要素（３１）は、前記挿入溝（３２）内に挿入されるように構成され、前記ロッド形状要素（３１）は凹部（３４）を備え、
−  前記可撓性舌部（６）は、前記第２パネル面（２２）に垂直な第１方向における前記第２パネル（２０ａ）に対する前記第１パネル（１０）のロックのため、前記凹部（３４）と協働するように構成され、
−  前記パネル溝（１３３）は、前記第２パネル面（２２）を考慮して前記第２パネル（２０）において角度αで延びる、セット（１）。
【請求項２】
前記角度αは１０〜８０度である請求項１に記載のセット（１）。
【請求項３】
前記角度αは、１０〜７０度であり又は２５〜３５度である請求項１又は２に記載のセット（１）。
【請求項４】
前記第２パネル（２０ａ）は、前記パネル溝（１３３）から離れた第２エッジ面（２１）を備える請求項１〜３のいずれかに記載のセット（１）。
【請求項５】
前記第２パネル面（２２）における前記パネル溝（１３３）の幅（Ｗ１）は、前記第１エッジ面（１１）の幅（Ｗ２）よりも小さい請求項１〜４のいずれかに記載のセット（１）。
【請求項６】
前記第２パネル面（２２）における前記パネル溝（１３３）の幅（Ｗ１）は、前記ロッド形状要素（３１）の径（Ｄ２）よりも大きい請求項１〜５のいずれかに記載のセット（１）。
【請求項７】
前記パネル溝（１３３）は、前記挿入溝（３２）から離れて配置される底面（１３５）を備える底終端溝である請求項１〜６のいずれかに記載のセット（１）。
【請求項８】
前記可撓性舌部（６）は、前記パネル溝（１３３）の前記底面（１３５）に配置される請求項７に記載のセット（１）。
【請求項９】
前記可撓性舌部（６）は、前記底面（１３５）に向かって内側に曲げられて前記パネル溝（１３３）において完全に配置されるように構成される請求項１〜８のいずれかに記載のセット（１）。
【請求項１０】
前記可撓性舌部（６）は、曲げられていない状態で、前記パネル溝（１３３）に部分的に配置され且つ前記挿入溝（３２）に部分的に配置されるように構成される請求項１〜９のいずれかに記載のセット（１）。
【請求項１１】
前記パネル溝（１３３）は、前記第２平面（２２）の長手方向に延びる長手方向溝（１３３）である請求項１〜１０のいずれかに記載のセット（１）。
【請求項１２】
前記長手方向溝（１３３）の前記長手方向は、前記第２エッジ面（２１）に対して実質的に平行である請求項１１に記載のセット（１）。
【請求項１３】
前記第２パネル（２０ａ）は第３エッジ面（２３）を備え、前記機械的ロック装置（３０）の前記パネル溝（１３３）は、前記第３エッジ面（２３）に更に配置される請求項１〜１２のいずれかに記載のセット（１）。
【請求項１４】
前記第２パネル（２０ａ）は第４エッジ面（２３）を備え、前記機械的ロック装置（３０）の前記パネル溝（１３３）は、前記第４エッジ面（２４）に更に配置される請求項１〜１３のいずれかに記載のセット（１）。
【請求項１５】
前記パネル溝（１３３）は、前記第３エッジ面（２３）から前記第４エッジ面（２４）まで延びる請求項１４に記載のセット（１）。
【請求項１６】
前記挿入溝（３２）は、底終端ドリル穴などの、前記パネル溝（１３３）から離れて配置される底面（４６）を備える底終端溝である請求項１〜１５のいずれかに記載のセット（１）。
【請求項１７】
前記第１エッジ面（１１）は２以上の前記ロッド形状要素（３１）を備え、前記第２パネル面（２２）は２以上の前記挿入溝（３２）を備え、当該２以上の挿入溝（３２）は好ましくは直線的に配置され、前記ロッド形状要素（３１）の各々は、前記挿入溝（３２）のうちの１つに挿入されるように構成される請求項１〜１６のいずれかに記載のセット（１）。
【請求項１８】
前記ロック位置において、前記パネル溝（１３３）は解体ロッド（４０）を受けるように構成され、
前記解体ロッド（４０）が前記パネル溝（１３３）において受けられる場合、前記ロッド形状要素（３１）は、前記可撓性舌部（６）を前記パネル溝（１３３）において内側に曲げるために前記解体ロッド（４０）と協働するように構成され、
前記可撓性舌部（６）が前記パネル溝（１３３）において内側に曲げられる場合、前記第１パネル（１０）を前記第２パネル（２０ａ）から解体するように、前記ロッド形状要素（３１）及び前記解体ロッド（４０）は、前記挿入溝（３２）において外側へ移動可能であり前記挿入溝（３２）から外方へ移動可能であるように構成される請求項１〜１７のいずれかに記載のセット（１）。
【請求項１９】
前記機械的ロック装置（３０）は、前記ロッド形状要素（３１）が前記挿入溝（３２）内に挿入されて前記第１エッジ面（１１）が前記第２パネル面（２２）に接触して配置される場合に、前記第１パネル（１０）を前記第２パネル（２０ａ）に対して自動的にロックするように構成される請求項１〜１８のいずれかに記載のセット（１）。
【請求項２０】
前記可撓性舌部（６）は、前記ロック位置において前記パネル溝（１３３）の前記底面（１３５）と前記凹部（３４）との間に配置される請求項１５〜２０のいずれかに記載のセット（１）。
【請求項２１】
前記ロッド形状要素（３１）は、前記第１エッジ面（１１）において取り付け溝１０１で取り付けられるように構成される請求項１〜２０のいずれかに記載のセット（１）。
【請求項２２】
前記第２エッジ面（２１）は、前記第２パネル面（２２）に対して本質的に垂直である請求項１〜２１のいずれかに記載のセット（１）。
【請求項２３】
ロック位置から解体位置に、請求項１〜２２のいずれかに記載のセット（１）を解体するための方法であって、
−  解体ロッド（４０）を前記エッジ溝（１３３）内に挿入し、前記可撓性舌部（６）を前記エッジ溝（１３３）において内側に曲げることによって前記可撓性舌部（６）を前記ロッド形状要素（３１）の前記凹部（３４）から外側へ移動させ、
−  前記第１パネル（１０）を前記第２パネル（２０ａ）から解体するように、前記ロッド形状要素（３１）及び前記解体ロッド（４０）を前記挿入溝（３２）において外側へ移動させて前記挿入溝（３２）から外側へ移動させる、
ことを含む方法。
【発明の詳細な説明】
【技術分野】
【０００１】
本発明の実施形態は、互いに垂直に配置され、機械的ロック装置で一緒にロックされうるパネルに関する。本棚、食器棚、ワードローブ、箱、引き出し、又は家具部品などの家具製品を得るために、パネルは一緒に組み立てられてロックされうるものであり、その後、解体されうる。機械的ロック装置は、柔軟な舌部を含みうる。
【背景技術】
【０００２】
ＷＯ２０１５／０３８０５９によって証明されるように、機械的ロック装置が設けられる家具製品は当技術分野で知られている。家具製品は、挿入溝に可撓性舌部を含む機械的ロック装置によって、第２パネルに垂直に接続された第１パネルを含む。
【０００３】
様々な既知の態様の上記の説明は、そのようなものの出願人のものの特徴であり、上記の説明のいずれかが先行技術とみなされることを認めるものではない。
【０００４】
本発明の実施形態は、組み立てられ及び解体されることができるパネルを提供する必要性に対処する。
【先行技術文献】
【特許文献】
【０００５】
【特許文献１】ＷＯ２０１５／０３８０５９
【発明の概要】
【０００６】
本発明のある態様の目的は、上記の技術及び既知の技術における改良を提供することである；特に、機械的ロック装置にダメージを与えることなく、組み立て後に解体される／分解されることができるセットを実現して、セットが再び組み立てられることができるようにすることである。
【０００７】
本発明の少なくともある実施形態及び態様の目的は、上記の技術及び既知の技術に対する改良を提供することである。
【０００８】
本発明の少なくともある態様のさらなる目的は、いかなる工具を使用する必要なしに組み立てられるように構成されたパネルの組み立てを容易にすることである。
【０００９】
本発明の少なくともある態様のさらなる目的は、組み立てられるように構成されたパネルの解体を容易にすることである。
【００１０】
本発明の少なくともある態様のさらなる目的は、製造及び使用が容易なロック装置とともに組み立てられるように構成されたパネルの組み立て及び解体を容易にすることである。
【００１１】
本発明の少なくともある態様のさらなる目的は、組み立てられたパネルを解体する方法を容易にすることである。
【００１２】
説明から明らかとなるこれらの及び他の目的及び利点の少なくともいくつかは、第１パネル、第２パネル、及び第１パネルを第２パネルに対してロックするための機械的ロック装置を含むセットによって達成されており、第１パネルは第１エッジ面及び第１パネル面を含み、第２パネルは第２パネル面を含み、第１エッジ面は第１パネル及び第２パネルのロック位置で第２パネル面に面し、機械的ロック装置は、第２パネル面でパネル溝、パネル溝に配置された可撓性舌部、第１エッジ面でのロッド形状要素、及び第２パネル面からパネル溝まで延びる第２パネル面での挿入溝を含み、ロッド形状要素は挿入溝内に挿入されるように構成され、ロッド形状要素は凹部を含み、可撓性舌部は、第２パネル面に垂直である第１方向への第１パネルの第２パネルに対するロックのために凹部と協働するように構成され、パネル溝は、第２パネル面を考慮して、第２パネルにおいて角度を持って延びる。これにより、セットは組み立て後に解体されることができる。これは、セット、又は１つ以上のセットを含む製品が解体されることができるため、移動やセットの組み立て方法の変更が容易になるということをオープンにするものである。また、これは、パネルがさまざまな方法で再利用されることができるようになることをオープンにする。
【００１３】
ある態様によれば、角度は１０〜８０度の間である。
【００１４】
ある態様によれば、角度は３０〜７０度の間である。ある態様によれば、角度は１０〜７０度の間である。ある態様によれば、角度は１５〜５０度の間である。ある態様によれば、角度は２５〜３５度の間である。
【００１５】
ある態様によれば、第２パネルは、パネル溝から離れたところにおいて第２エッジ面を備える。
【００１６】
ある態様によれば、第２パネル面のパネル溝の幅は、第１エッジ面の幅よりも小さい。
【００１７】
ある態様によれば、第２パネル面におけるパネル溝の幅は、ロッド形状要素の径よりも大きい。
【００１８】
ある態様によれば、パネル溝は、挿入溝から離れて配置された底面を含む底終端溝である。
【００１９】
ある態様によれば、可撓性舌部は、パネル溝の底面に配置されている。
【００２０】
ある態様によれば、可撓性舌部は、パネル溝に完全に配置されるように、底面に向かって内側に曲げられるように構成される。
【００２１】
ある態様によれば、曲がっていない状態の可撓性舌部は、部分的にパネル溝に及び部分的に挿入溝に配置されるように構成される。
【００２２】
ある態様によれば、挿入溝は、第２平面の長手方向に延びる長手方向溝である。
【００２３】
ある態様によれば、長手方向溝の長手方向は、第２エッジ面に実質的に平行である。
【００２４】
ある態様によれば、第２パネルは第３エッジ面を含み、機械的ロック装置のパネル溝はさらに第３エッジ面に配置される。
【００２５】
ある態様によれば、第２パネルは第４エッジ面を含み、機械的ロック装置のパネル溝はさらに第４エッジ面に配置される。
【００２６】
ある態様によれば、パネル溝は、第３エッジ面から第４エッジ面まで延びる。
【００２７】
ある態様によれば、挿入溝は、パネル溝から離れて配置された底面を含む底終端ドリル穴などの底終端溝である。
【００２８】
ある態様によれば、第１エッジ面は、２つ以上の前記ロッド形状要素を含み、第２パネル面は、２つ以上の前記挿入溝であって好ましくは線形に配置される２つ以上の前記挿入溝を含み、ロッド形状要素の各々は、挿入溝のうちの１つに挿入されるように構成される。
【００２９】
ある態様によれば、ロック位置において、パネル溝は、解体ロッドを受け入れるように構成される。
【００３０】
ある態様によれば、解体ロッドがパネル溝に受け入れられる場合、ロッド形状要素は、パネル溝において可撓性舌部を内側に曲げるために解体ロッドと協働するように構成される。
【００３１】
ある態様によれば、可撓性舌部がパネル溝において内側に曲げられる場合、ロッド形状要素及び解体ロッドは、第１パネルを第２パネルから分解するために挿入溝において及び挿入溝から外側に移動可能であるように構成される。
【００３２】
ある態様によれば、機械的ロック装置は、ロッド形状要素が挿入溝内に挿入されて第１エッジ面が第２パネル面に接触して配置される場合、第１パネルを第２パネルに自動的にロックするように構成される。
【００３３】
ある態様によれば、可撓性舌部は、ロック位置でパネル溝の底面と凹部との間に配置される。
【００３４】
ある態様によれば、ロッド形状要素は、第１エッジ面で取り付け溝において取り付けられるように構成される。
【００３５】
ある態様によれば、第２エッジ面は、第２パネル面に対して本質的に垂直である。
【００３６】
さらに、説明から明らかになるこれらの及び他の目的及び利点の少なくともいくつかは、ロック位置から解体位置へ上記の態様のいずれかに応じたセットを解体する方法であって、解体ロッドをエッジ溝内に挿入し、エッジ溝において可撓性舌部を内側に曲げることによって可撓性舌部をロッド形状要素の凹部から外へ動かし、第２パネルから第１パネルを解体するように挿入溝において及び挿入溝から外へ外側にロッド形状要素及び解体ロッドを動かすことを含む方法によって、達成されている。
【００３７】
ある態様によれば、可撓性舌部は、ＷＯ２０１５／１０５４４９の図２Ａ〜２Ｆに記載及び示されている可撓性舌部による。ＷＯ２０１５／１０５４４９における図２Ａ〜２Ｆ及び６ページ、１５行目〜ら７ページ、２行目までの関連する開示は、これによって、参照によりここに明示的に組み込まれる。
【００３８】
ある態様によれば、第１パネル及び／又は第２パネルのコアは、好ましくはＭＤＦ、ＨＤＦ、ＯＳＢ、ＷＰＣ、合板又はパーティクルボードで作られた、木材に基づくコアであってもよい。コアはまた、例えばビニル、ＰＶＣ、ＰＵ又はＰＥＴの熱可塑性プラスチック又は熱硬化性プラスチックを含むプラスチックコアであってもよい。プラスチックコアは、フィラーを含んでもよい。
【００３９】
また第１パネル及び／又は第２パネルは、無垢木材であってもよい。
【００４０】
第１パネル及び／又は第２パネルは、１つ以上の表面上における薄片やベニヤなどの装飾層とともに設けられていてもよい。
【００４１】
説明から明らかでありうる上記で識別された及び他の目的及び利点のうちの少なくともいくつかは、上記に応じた家具製品のためのロック装置によって達成されている。
【図面の簡単な説明】
【００４２】
発明の実施形態が可能であるこれら及び他の態様、特徴及び利点は、本発明の実施形態及び態様の以下の説明から明らかになり、解明され、以下の添付の図面に対する参照が行われる：
【図１ａ】図１ａは、発明のある態様の組み立てられていない／解体された状態のセットの上からの３次元ビューを示す。
【図１ｂ】図１ｂは、発明のある態様の組み立てられていない／解体された状態のセットの側面図を示す。
【図１ｃ】図１ｃは、発明のある態様の組み立てられていない／解体された状態のセットの下からの３次元ビューを示す。
【図２ａ】図２ａは、発明のある態様の組み立てられた状態のセットの上からの３次元ビューを示す。
【図２ｂ】図２ｂは、発明のある態様の組み立てられた状態のセットの側面図を示す。
【図３】図３は、発明のある態様による可撓性舌部の実施形態を示す。
【図４】図４は、第１パネルの一部の拡大の側面図を示す。
【図５ａ】図５ａ〜５ｂは、セットの解体中の発明のある態様によるセット及び解体ロッドの上からの３次元ビューを示す。
【図５ｂ】図５ａ〜５ｂは、セットの解体中の発明のある態様によるセット及び解体ロッドの上からの３次元ビューを示す。
【図６ａ】図６ａ〜６ｅは、組み立て状態から解体状態へのセットの解体の間の解体ロッド及びセットの一部の拡大を示す。
【図６ｂ】図６ａ〜６ｅは、組み立て状態から解体状態へのセットの解体の間の解体ロッド及びセットの一部の拡大を示す。
【図６ｃ】図６ａ〜６ｅは、組み立て状態から解体状態へのセットの解体の間の解体ロッド及びセットの一部の拡大を示す。
【図６ｄ】図６ａ〜６ｅは、組み立て状態から解体状態へのセットの解体の間の解体ロッド及びセットの一部の拡大を示す。
【図６ｅ】図６ａ〜６ｅは、組み立て状態から解体状態へのセットの解体の間の解体ロッド及びセットの一部の拡大を示す。
【図７ａ】図７ａ〜７ｂは、発明のある態様による第２パネルの実施形態の上方からの図及び側面図を示す。
【図７ｂ】図７ａ〜７ｂは、発明のある態様による第２パネルの実施形態の上方からの図及び側面図を示す。
【図８ａ】図８ａ〜８ｂは、発明のある態様による第１パネルの実施形態の上方からの図及び側面図を示す。
【図８ｂ】図８ａ〜８ｂは、発明のある態様による第１パネルの実施形態の上方からの図及び側面図を示す。
【図９】図９は、発明のある態様による図７ａ及び７ｂにおける第２パネルの一部の断面図を示す。
【図１０】図１０は、発明のある態様によるロッド形状要素及び図８ａ及び８ｂにおける第１パネルの一部の側面図を示す。
【図１１】図１１は、発明のある態様による図７ａ及び７ｂにおける第１パネルの一部の上から見た３次元ビューを示す。
【図１２ａ】図１２ａ〜１２ｂは、発明のある態様によるロッド形状要素の側面図及び上からの３次元ビューを示す。
【図１２ｂ】図１２ａ〜１２ｂは、発明のある態様によるロッド形状要素の側面図及び上からの３次元ビューを示す。
【図１３ａ】図１３ａ〜１３ｂは、発明のある態様によるロッド形状要素の側面図及び上からの３次元ビューを示す。
【図１３ｂ】図１３ａ〜１３ｂは、発明のある態様によるロッド形状要素の側面図及び上からの３次元ビューを示す。
【図１４ａ】図１４ａ〜１４ｂは、発明のある態様によるロッド形状要素の側面図及び上からの３次元ビューを示す。
【図１４ｂ】図１４ａ〜１４ｂは、発明のある態様によるロッド形状要素の側面図及び上からの３次元ビューを示す。
【図１５】図１５は、発明のある態様の組み立てられた状態における及び組み立てられていない状態におけるセットの側面図を示す。
【図１６】図１６は、図１５におけるセットの一部の拡大の側面図である。
【図１７】図１７は、図１５における第２パネルのうちの２つの上からの図を示す。
【図１８ａ】図１８ａ〜１８ｂは、取り付け溝の実施形態の側面図及び上面図を示す。
【図１８ｂ】図１８ａ〜１８ｂは、取り付け溝の実施形態の側面図及び上面図を示す。
【図１８ｃ】図１８ｃは、第２パネルの実施形態の一部の側面図を示す。
【発明を実施するための形態】
【００４３】
本開示の複数の態様が、添付の図面を参照して、以下でより完全に説明される。図面における同様の番号は、全体を通して同様の要素を指す。
【００４４】
ここで使用される用語は、開示の特定態様のみを説明することを目的としており、開示を限定することは意図されていない。ここで使用される場合、単数形「ａ」、「ａｎ」及び「ｔｈｅ」は、文脈が明らかに他のことを示さない限り、複数形も含むことを意図されている。
【００４５】
図面及び明細書において、開示の例示的な態様が開示されている。しかしながら、本開示の原理から実質的に逸脱することなく、これらの態様に対して多くの変形及び修正を行うことができる。したがって、開示は、限定的ではなく例示的であると見なされるべきであり、上記のある態様に限定されるものではない。したがって、具体的な用語が使用されるが、それらは一般的かつ説明的な意味でのみ使用され、限定の目的のためではなく、例えば、幅や広がりや高さや長さや直径などの寸法の定義は、例示的な態様がどのように描写されるかによって決まり、したがって、異なって描かれる場合、１つの描写で示される幅又は直径は、別の描写での長さ又は厚さである。
【００４６】
「備える」という単語は、リストされたもの以外の他の要素又はステップの存在を必ずしも排除するものではなく、要素に先行する「ａ」又は「ａｎ」という単語は、そのような要素の複数の存在を排除しないことに留意されるべきである。さらに、いかなる参照符号も特許請求の範囲を限定するものではなく、例示的な態様は、ハードウェアとソフトウェアの両方によって少なくとも部分的に実装されてもよいこと、及びいくつかの「手段」、「ユニット」又は「デバイス」は同じハードウェアアイテムによって表されてもよいことに、更に留意されるべきである。
【００４７】
ここで開示される発明の様々な態様、代替及び実施形態は、ここに記載される他の態様、代替及び実施形態のうちの１つ又は複数と組み合わせられうる。２以上の態様が組み合わせられうる。
【００４８】
発明の第１実施形態は、図１ａ〜４に示され、第１パネル１０、第２パネル２０、及び第１パネル１０を第２パネル２０にロックするための機械的ロック装置３０を備えるセット１を含む。第１パネル１０は、第１エッジ面１１及び第１パネル面１２を備える。第２パネル２０は、第２エッジ面２１及び第２パネル面２２を備える。第１エッジ面１１は、第１パネル及び第２パネル１０、２０のロック位置で第２パネル面２２に面している。機械的ロック装置３０は、第１エッジ面１１においてロッド形状要素３１を備え、第２パネル面２２において挿入溝３２を備える。機械的ロック装置３０は、更に、第２エッジ面２１におけるエッジ溝３３と、エッジ溝３３に配置される可撓性舌部６とを備える。ロッド形状要素３１は、凹部３４を備える。ロッド形状要素３１は、挿入溝３２内に挿入されるように構成される。可撓性舌部６は、第２パネル面２２に垂直である第１方向に第１パネル１０を第２パネル２０にロックするために凹部３４と協働するように構成される。
【００４９】
第１パネル１０及び第２パネル２０は、好ましくは家具製品用のパネルであり、家具製品のフレームの一部であってもよい。
【００５０】
セット１は、好ましくは、第１パネル面１２が第２パネル面２２に対して垂直又は本質的に垂直である状態で、第１パネル１０を第２パネル２０にロックするように構成される。
【００５１】
図１ａ〜ｃは、組み立てられていない状態又は解体された状態のある態様によるセットを開示する。図２ａ〜ｂは、組み立てられた状態のある態様によるセットを開示する。セット１は、第２パネル面２２に垂直な方向に第２パネル２０に対して第１パネル１０を変位させることによって組み立てられてもよい。機械的ロック装置２０は、ロッド形状要素３１が挿入溝３２内に挿入され、第１エッジ面１１が第２パネル面２２に接触して配置される場合に、第１パネル１０を第２パネル２０に自動的にロックするように構成されてもよい。
【００５２】
挿入溝３２は、第２パネル面２２において及び第２パネル２０のコアにおいて形成されてもよい。
【００５３】
第２パネル面２２は装飾層を備えてもよく、挿入溝は装飾層を貫通して延びてもよい。
【００５４】
挿入溝は、穴あけなどの機械的切削によって形成されてもよい。
【００５５】
可撓性舌部６のある態様が図３に示されている。可撓性舌部６の第１部分は、エッジ溝３３と協働するように構成され、第２部分は、ロッド形状要素３１の凹部３４と協働するように構成される。
【００５６】
第２部分は、第１ベベル６５及び第２ベベル６４を備えてもよく、第１ベベル６５は組み立て中にロッド形状要素３１と協働するように構成され、第２ベベル６４はロックのために凹部３４と協働するように構成される。
【００５７】
可撓性舌部６は、組み立て及び解体の間のエッジ溝３３における可撓性舌部６の圧縮及び変位を可能にするための可撓性材料を備えてもよい。
【００５８】
可撓性舌部６は、組み立て及び分解の間にエッジ溝３３における可撓性舌部６の圧縮及び変位を可能にするような可撓性がある要素と、ロック強度を改善するために可撓性が低い別の要素と、を備えてもよい。
【００５９】
可撓性舌部６の実施形態の曲面の一部は、エッジ溝３３の円筒面などの面に対して変位するように構成されてもよい。ある実施形態は、これによって参照により明示的に組み込まれるＷＯ２０１８／０８０３８７に示されている。
【００６０】
可撓性舌部６は、本質的に真っ直ぐな第１エッジと、曲げ可能部分６１を、好ましくは第１の曲げ可能部分及び第２の曲げ可能部分を、含む第２エッジと、を備えてもよい。第１エッジは、好ましくは、ロッド形状要素３１の凹部３４と協働するように構成される。可撓性舌部は、好ましくは、前記曲げ可能部分の各々において凹部６３を備える。可撓性舌部のこの実施形態の利点は、より強いばね力が得られうることであり、それがより強いロックを提供し得ることである。
【００６１】
可撓性舌部６のロック面は、第１パネル１０を第２パネル２０にロックするため、凹部３４のロック面６２と協働してもよい。
【００６２】
第１エッジ面１１は、２つ以上の前記ロッド形状要素３１を備えてもよく、第２パネル面２２は、２つ以上の前記挿入溝３２であって好ましくは直線的に配置される２つ以上の前記挿入溝３２を備えてもよく、ロッド形状要素３１の各々は、挿入溝３１のうちの１つに挿入されるように構成される。
【００６３】
ロッド形状要素３１のある態様が図６ａ〜６ｅに示されており、それは凹部３４のある実施形態を含む。ロッド形状要素３１は、第１パネル面に平行な長さ方向Ｌとともに長手形状を有する。第２パネル面２１に平行な平面におけるロッド形状要素３１の第１クロスカット（ｃｒｏｓｓｃｕｔ）は、円形、長方形、星形、楕円形、又は六角形を有してもよい。そのクロスカットは、凹部３４とエッジ１１との間にあってもよい。
【００６４】
第１パネル面１２に垂直である第２方向への第２パネル２０に対する第１パネル１０のロックは、挿入溝３２とロッド形状要素３１との間でロック面を協働させることによって得られてもよい。
【００６５】
第１方向及び第２方向の面に垂直である第３方向への第２パネルに対する第１パネルのロックは、挿入溝３２とロッド形状要素３１との間でロック面を協働させることによって得られてもよい。
【００６６】
第２パネル面に平行な平面における挿入溝３２の第２クロスカットは、好ましくは、第２パネル面に平行な平面においてロッド形状要素３１の第１クロスカットと合致する形状を有する。これの利点は、第２方向への第２パネル２０に対する第１パネル１０の改善されたロックが得られること、及び／又は、第３方向への第２パネル２０に対する第１パネル１０の改善されたロックが得られることでありうる。
【００６７】
エッジ溝３３及び挿入溝３２は、挿入溝３２に沿うクロスカットである図４においてより詳細に開示されている。
【００６８】
エッジ溝３３は、第２パネル２０において、第２パネル２０の第２エッジ面２１から内側に延びる。エッジ溝３３は、内側部分３６及び外側部分３７を備える。エッジ溝の内側部分３６は、第１高さＨ１を有する。エッジ溝の外側部分３７は、第２高さＨ２を有する。内側部分及び外側部分の高さは、第２端面２１と平行である方向に見られる。別の言い方をすれば、内側部分及び外側部分の高さＨ１、Ｈ２は、第２パネルの厚みに延びる。外側部分３７の第２高さＨ２は、内側部分３６の第１高さＨ１よりも大きい。外側部分３７は、内側部分よりも第２エッジ面に近い位置にある。
【００６９】
エッジ溝３３の内側部分３６は、第１面、反対側の第２面、及び第１面と反対側の第２面との間に延びる底面３５を備えてもよい。ある態様によれば、エッジ溝３３は、底面３５を備える底終端溝である。
【００７０】
底面３５は、挿入溝３２から離れた位置に配置されてもよい。
【００７１】
エッジ溝３３の外側部分３７は、第１面、反対側の第２面、及び第１面と反対側の第２面との間に延びる底面３８を備えてもよい。第２部分３７の底面３８は、第１部分３６の開口部３９を備える。
【００７２】
ある態様によれば、エッジ溝３３の内側部分３６の高さＨ１は、可撓性舌部６の厚さ以上である。
【００７３】
ある態様によれば、ロッド形状要素３１は、第１端部４１で第１エッジ面１１に接続され、ロッド形状要素３１の第２端部４３と凹部３４との間に配置されるロッド面４２を備える。
【００７４】
ある態様によれば、エッジ溝３３の外側部分３７の第２高さＨ２と、エッジ溝３３の内側部分３６の第１高さＨ１との間の差は、ロッド形状要素３１の第２端部４３と凹部３４との間のロッド面４１の長さ以上である。
【００７５】
ある態様によれば、エッジ溝３３の外側部分３７の第２高さＨ２と、エッジ溝３３の内側部分３６の第１高さＨ１との間の差は、可撓性舌部６の外側先端６６と、エッジ溝３３の内側部分３６の面と協働する可撓性舌部６の面６７とからの距離以上である。ある態様によれば、エッジ溝３３の外側部分３７の第２高さＨ２と、エッジ溝３３の内側部分３６の第１高さＨ１との間の差は、可撓性舌部の外側先端及び可撓性舌部６のロック面６２からの距離以上である。
【００７６】
ある態様によれば、エッジ溝３３の外側部分３７の第２高さＨ２は、内側部分３６の第１高さＨ１よりも１．１〜２．５倍大きい。ある態様によれば、エッジ溝３３の外側部分３７の第２高さＨ２は、内側部分の第１高さよりも１，１〜１．５倍大きい。
【００７７】
ある態様によれば、可撓性舌部６は、エッジ溝３３の底面３５に配置されている。
【００７８】
ある態様によれば、図６ｂ、６ｃ、６ｄに開示されるように、可撓性舌部６は、エッジ溝３３の内側部分３６に完全に配置されるよう底面３５に向かって内側に曲げられるように構成される。
【００７９】
ある態様によれば、図６ａ及び図６ｅに開示されるように、可撓性舌部６は、曲げられていない状態で、部分的にエッジ溝の外側部分３７に配置され、部分的に内側部分３７に配置されるように構成される。
【００８０】
ある態様によれば、エッジ溝３３は、図１ａ、１ｃ及び２ａに開示されるように、第２エッジ面２２の長手方向に延びる長手方向溝３３である。
【００８１】
ある態様によれば、第２パネル２０は、第３エッジ面２３を備える。ある態様によれば、機械的ロック装置３０のエッジ溝３３は、図２ａに開示されるように、第３エッジ面２３においてさらに配置される。
【００８２】
ある態様によれば、第２パネル２０は第４エッジ面２４を備える。ある態様によれば、機械的ロック装置３０のエッジ溝３３は、図２ａに開示されるように、第４エッジ面２４においてさらに配置される。ある態様によれば、エッジ溝３３は、第３エッジ面２３から第４エッジ面２４まで延びる。
【００８３】
可撓性舌部６の曲げ可能部分６１は、エッジ溝３３の底面３５に配置されてもよい。
【００８４】
可撓性舌部６は、エッジ溝３３の底面３５に配置されてもよい。
【００８５】
可撓性舌部は、ロック位置で、エッジ溝の底面３５と凹部３４との間に配置されてもよい。
【００８６】
可撓性舌部６の一部は、第１面及び／又は第２面などのエッジ溝の面３５に対して変位するように構成されてもよい。
【００８７】
ある態様によれば、図１２ａ、１２ｂ；図１３ａ、１３ｂ；図１４ａ、１４ｂに開示されるように、ロッド形状要素３１は、第１パネル面１２に平行な長さ方向Ｌを有する長手形状を有する。ロッド形状要素３１は、第１端部４１において第１部分５１を備え、第２端部４３において第２部分５２を備える。凹部３４は、第２部分５２に含まれる態様による。
【００８８】
ロッド形状要素３１の第１部分５１は、図１ａ、６ｅ、８ａ、８ｂ、１０、１８ａ及び１８ｂに開示されるように、第１エッジ面１１における取り付け溝１０１内に挿入されるように構成される。図１８ａは、第１パネル１０のある実施形態の一部の側面図を示し、図１８ｂは、第１パネル１０のある実施形態の一部の上面図を示す。ロッド形状要素３１の第２部分５２は、挿入溝３２に挿入されるように構成される態様による。ある態様によれば、ロッド形状要素３１は、第３部分５３を備える。第３部分は、第１部分５１と第２部分５２との間に位置する。第３部分５３は、ある態様によれば、長さ方向Ｌに垂直な延長部を有し、当該延長部は、対応する方向における第１エッジ面１１における取り付け溝１０１の延長部よりも大きい。より大きな延長部を有することにより、第３部分は、第１部分５１が取り付け溝１０１に挿入されうる深さを制限する／定める／限定するように構成される。ロッド形状要素３１が第１パネル１０における取り付け溝１０１内に挿入されうる長さを制限することにより、取り付け溝１０１の深さは、その深さが第１部分５１よりも大きい限り、ロッド形状要素３１の位置を定めない。これは、挿入溝３２におけるのロッド形状要素の位置に影響を与えることなく、取り付け溝１０１が大きな公差で製造されうることを、オープンにする。これは、セットの製造コストを下げる。
【００８９】
ある態様によれば、図１３ａ、１３ｂ；図１４ａ、１４ｂに開示されるように、第３部分５３は、第２部分５２に一体化される。ある態様によれば、第３部分５３の長さ方向Ｌに垂直な延長部は、対応する方向における第２部分５２の延長部に等しい。
【００９０】
ある態様によれば、図１２ａ、１２ｂに開示されるように、第３部分５３の長さ方向Ｌに垂直な延長部は、対応する方向における挿入溝３２の延長部Ｄ１よりも大きく、それによって、第３部分５３は、第２部分５２が挿入溝３２に挿入されうる深さを制限する／定める／限定するように構成される。これにより、挿入溝３２に挿入されうるロッド形状要素３１の長さが制限され及び定められ、可撓性舌部６を考慮して意図されたロック位置においてロッド形状要素３１を配置するためのセット１における公差を下げる。
【００９１】
ある態様によれば、第３部分５３は、長さ方向Ｌに垂直に延びるフランジ５４を備える。
【００９２】
ある態様によれば、フランジ５４は円周フランジ５４である。
【００９３】
ある態様によれば、フランジ５４は、長方形、正方形、三角形、又は星形である。
【００９４】
ある態様によれば、第１エッジ面１１は、第３部分５３の形状に対応するカウンターボア１０２を備える。
【００９５】
ある態様によれば、第２パネル２０の第２パネル面２２は、第３部分５３の形状に対応するカウンターボア１０２を備えてもよい。図１８ｃは、第２パネル２０の一部の側面図を示す。
【００９６】
ある態様によれば、第１エッジ面１１及び／又は第２パネル面２２のカウンターボア１０２の深さは、長さ方向Ｌにおける第３部分５３の厚さに等しい。
【００９７】
ある態様によれば、ロッド形状要素３１の第１部分、第２部分、第３部分５１、５２、５３は一体として作られている。
【００９８】
ある態様によれば、取り付け溝１０１は、長さ方向Ｌにおける第１部分５１の長さよりも大きい第１エッジ面１１からの距離に配置された底面を備える、底終端ドリル穴などの底終端溝である。
【００９９】
ある態様によれば、ロッド形状要素３１の第１部分５１は、摩擦によって取り付け溝１０１に取り付けられるように構成される。
【０１００】
ある態様によれば、好ましくはガラス繊維又は金属などの補強材料を有する、木質材料、ポリマー材料のうちの１つ又は複数から、ロッド形状要素３１は作製される。
【０１０１】
ある態様によれば、ロッド形状要素３１の第１部分、第２部分及び第３部分５１、５２、５３のうちの１つ又は複数は、実質的な円形形状を有する。
【０１０２】
ある態様によれば、ロッド形状要素３１は、第１エッジ面１１における取り付け溝１０１において接着されるように構成されてもよい。
【０１０３】
ある態様によれば、ロッド形状要素３１の第１部分５１は、ねじ山を備える。ある態様によれば、ロッド形状要素３１の第１部分５１は、図１４ａ、１４ｂに開示されるように、返し部（ｂａｒｂｓ）５４を備える。ある態様によれば、ロッド形状要素３１は、摩擦接続によって又はねじ山などの機械的接続によって又は返し部５４などのロック要素によって、取り付け溝１０１においてロックされるように構成される。
【０１０４】
挿入溝３２は、ある態様によれば、底面４６を備える、底終端ドリル穴などの底終端溝であり、当該底面４６は、エッジ溝３３から距離を置いて配置される。
【０１０５】
挿入溝３２は、エッジ溝３３の第１の側に第１部分４３を有していてもよく、エッジ溝３３の第２の側に第２部分４４を有していてもよく、第２部分は、底面４６及び側壁を備え、ロック位置では、ロッド形状要素３１は、挿入溝３２の第１部分４３を通り、エッジ溝３３を通り、挿入溝３２の第２部分４４内に入る。
【０１０６】
図６ａは、ロック位置における、すなわち組み立て位置における第１パネル１０及び第２パネル２０のクロスカットを示す。ある態様による挿入溝は、第２パネル面２２からエッジ溝３３まで延びる。
【０１０７】
ロッド形状要素３１は、第２方向にロックするために、挿入溝３２の第２部分４４の側壁と協働するように構成されてもよい。
【０１０８】
ロッド形状要素３１は、ロック位置で底面４６と協働するように構成されてもよい。
【０１０９】
挿入溝３２の第１部分４３は側壁を備えてもよく、ロッド形状の要素３１は、第２方向にロックするために、第１部分４３の側壁と協働するように構成されてもよい。
【０１１０】
側壁は、第２パネル２０のコアの材料を備えてもよい。
【０１１１】
第２エッジ面２１は、第２パネル面２２に対して本質的に垂直であってもよい。
【０１１２】
ある態様によれば、第１パネル１０は、第２パネル面２２に垂直な方向に第２パネル２０に対して第１パネル１０を変位させることによって組み立てられてもよい。機械的ロック装置３０は、ロッド形状要素３１が挿入溝３２に挿入されて第１エッジ面１１が第２パネル面２２に接触して配置される場合に、第１パネル１０を第２パネル２０に自動的にロックするように構成された態様による。
【０１１３】
ある態様によれば、組み立てられた第１パネル及び第２パネル１０、２０は、互いから解体されうる。別の言い方をすれば、第１パネル及び第２パネル１０、２０が組み立てられた後、それらは分解及び分離されうる。それらが解体された後、それらはもう一度一緒に組み立てられうるか、又は別のパネルで組み立てられうる。
【０１１４】
以下、第１パネル１０を第２パネル２０から解体する方法を、図５ａ、５ｂ及び６ａ〜６ｅを参照して説明する。
【０１１５】
組み立てられた位置において、エッジ溝３３の外側部分３７は、解体ロッド４０を受けるように構成される。解体ロッド４０は、外側溝３３の外側部分３７に挿入可能なロッド形状の要素である。解体ロッドは、第１端部及び第２端部を有する長手方向形状を有する。解体ロッド４０の第２端部は、使用者によって把持されるように適合されており、第１端部は、エッジ溝３３に挿入されるように適合されている。解体ロッド４０のその長手方向の長さに垂直な方向における断面形状は、ある態様によれば多角形であり、例えば、図６ｂ及び６ｃに開示されるような台形である。ある態様によれば、解体ロッド４０のその長手方向の長さに垂直な方向の断面形状は、円形、正方形、長方形、又は三角形である。
【０１１６】
ある態様によれば、解体ロッド４０は、それが第２エッジ面２１からエッジ溝３３内に挿入可能であるように可撓性である。解体ロッド４０が第２エッジ面から挿入されると、それが可撓性舌部６及び凹部３４に配置されるようにそれは曲がって及び屈曲する。ある態様によれば、解体ロッド４０は、第３エッジ面２３からエッジ溝３３内に挿入可能である。ある態様によれば、解体ロッド４０は、第４エッジ面２４からエッジ溝３３内に挿入可能である。
【０１１７】
ユーザが第１パネル１０を第２パネル２０から解体し、したがって機械的ロック装置３０のロックを解除すべき場合、ユーザは、解体ロッド４０の第１端部をエッジ溝３３の外側部分３７内に挿入する。解体ロッド４０がエッジ溝３３に挿入されて受けられると、ロッド形状要素３１は、可撓性舌部６をエッジ溝３３において内側に曲げさせるために解体ロッド４０と協働するように構成される。解体ロッド４０が外側部分３７内に挿入される場合、可撓性舌部６とロッド形状要素３１の凹部３４が接触する。解体ロッド４０の形状は、凹部３４の形状に対応し、解体ロッド４０がさらに外側部分３７内に挿入される場合、図６ｂに開示されるように、それは、凹部３４に配置され、可撓性舌部６を凹部３４からエッジ溝３３の内側部分３６に向けて曲げさせる。
【０１１８】
可撓性舌部６がエッジ溝３３において内側に曲げられる場合、ロッド形状要素３１は、図６ｂに開示されるように、挿入溝３２において移動可能であるように構成される。ある態様によればセットの向きに応じて、ロッド形状要素は、上向き又は下向きに移動可能であり、すなわち、それは第１エッジ面１１の方向において外向きに移動可能である。ロッド形状要素３１が動かされると、解体ロッド４０は、ある距離動かされた後、図６ｃに開示されるように、エッジ溝３３の外側部分３７の内壁と接触する。ある態様によれば、ロッド形状要素が移動されることができる距離は、内側部分３６の第１高さＨ１と外側部分３７の第２高さＨ２との間の差である。この位置において、可撓性舌部６は、ロッド形状要素３１のロッド面４２に配置される。ロッド面４２は、可撓性舌部６が外側に曲げられることを制限する。ある態様によれば、可撓性舌部６は、それがロッド形状要素３１のロッド面４２と接触するまで外側に曲がる。
【０１１９】
ロッド形状要素３１がユーザによって挿入溝３２において上方に移動され、可撓性舌部６が凹部３４に配置されない場合、解体ロッド４０は、エッジ溝３３から移動するように構成される。可撓性舌部６は、この位置においてロッド面４２により凹部３４内に曲げ戻されることが制限されているので、解体ロッド４０は、機械的ロック装置３０がそのロック位置に戻ることなく、外側部分３７から引き抜かれうる。
【０１２０】
解体ロッド４０がエッジ溝３３から移動された後、ロッド形状要素３１は、第１パネル１０を第２パネル２０から解体するように、挿入溝３２からさらに外側に移動されるように構成される。これで、第１パネル１０が第２パネル２０から解体される。
【０１２１】
ある態様によれば、ロッド形状要素３１が挿入溝３２において外側に移動される場合、可撓性舌部６は、ロッド形状要素３１のロッド面４２に向かって外側に曲げられる。
【０１２２】
ある態様によれば、セット１をロック位置から解体位置に解体するための方法は、エッジ溝３３の外側部分３７内に解体ロッド４０を挿入し、エッジ溝３３において可撓性舌部６を内側に曲げることによって可撓性舌部６をロッド形状要素３１の凹部３４から外方へ移動させ、挿入溝３２においてロッド形状要素３１及び解体ロッド４０を外側に移動させ、エッジ溝３３から外方へ解体ロッド４０を後退させ、ロッド形状要素３１を更に外側に挿入溝から外方へ後退させて第１パネル１０を第２パネル２０から解体することによる。
【０１２３】
ある態様によれば、移動するステップは、ロッド形状要素３１を、可撓性舌部６が凹部３４内に戻るよう曲がることができないような距離、外側に移動させることを含む。
【０１２４】
第１パネル１０が第２パネル２０から分解された後、第１パネル１０は、第２パネル２０又は対応する特徴を備える別のパネルに対し、もう一度組み立てられることができる。第１パネル１０が第２パネル２０から分解された後、第２パネル２０は、第２パネル１０又は対応する特徴を含む別のパネルに対し、もう一度組み立てられることができる。
【０１２５】
ある態様によれば、図９、１０、１１に開示されるように、セット１は第２パネル２０ａを備え、機械的ロック装置３０は、第２パネル２０ａの第２パネル面２２にパネル溝１３３を備える。パネル溝１３３は、上に開示されたエッジ溝３３と同じ機能を有するが、この態様によれば、溝は、第２エッジ面２１における代わりに、第２パネル面２２に配置される。パネル溝１３３は、第２パネル面２２を考慮して、第２パネル２０ａにおいて角度αで延びる。別の言い方をすれば、パネル溝１３３は、第２パネル２０ａに作られ、図９に開示されるように、第２パネル面を考慮して角度αで角度が付けられる。
【０１２６】
図９には開示されていない可撓性舌部６は、ある態様によれば、パネル溝１３３に配置される。ロッド形状要素３１は、上に開示したように、第１エッジ面１１に配置されている。挿入溝３２は、この態様によれば、第２パネル面２２に配置され、第２パネル面２２からパネル溝１３３まで延びる。
【０１２７】
ある態様によれば、ロッド形状要素３１は、挿入溝３２に挿入されるように構成され、ロッド形状要素３１は凹部３４を備える。
【０１２８】
ある態様によれば、可撓性舌部６は、第２パネル面２２に垂直な第１方向における第２パネル２０ａに対する第１パネル１０のロックのために凹部３４と協働するように構成される。
【０１２９】
ある態様によれば、角度αは１０°〜８０°の間にある。ある態様によれば、角度αは１０°〜７０°の間にある。ある態様によれば、角度は２０〜７０度の間にある。ある態様によれば、角度αは１５°〜５０°の間にある。ある態様によれば、角度αは２５°〜３５°の間にある。
【０１３０】
ある態様によれば、第２パネル２０ａの第２エッジ面２１は、パネル溝１３３から距離を置いて配置される。
【０１３１】
ある態様によれば、第２パネル面２２におけるパネル溝１３３の幅Ｗ１は、第１エッジ面１１の幅Ｗ２よりも小さい。別の言い方をすれば、第１パネル１０が第２パネル２０ａに向かってロックされる場合、第１パネル１０の第１エッジ面１１がパネル溝１３３を覆う。
【０１３２】
ある態様によれば、第２パネル面２２におけるパネル溝１３３の幅Ｗ１は、ロッド形状要素１３３の図２に開示されている直径Ｄ２よりも大きい。
【０１３３】
ある態様によれば、パネル溝１３３は底面１３５を備える底終端溝であり、当該底面１３５は挿入溝３２から距離を置いて配置される。
【０１３４】
ある態様によれば、可撓性舌部６は、パネル溝１３３の底面１３５に配置される。
【０１３５】
ある態様によれば、可撓性舌部６は、底面１３５に向かって内側に曲げられて、パネル溝１３３に完全に配置されるように構成される。
【０１３６】
ある態様によれば、可撓性舌部６は、曲げられていない状態で、部分的にパネル溝１３３に配置され、部分的に挿入溝３２に配置されるように構成される。
【０１３７】
ある態様によれば、パネル溝１３３は、第２平面２２の長手方向に延びる長手方向溝１３３である。
【０１３８】
ある態様によれば、長手方向溝１３３の長手方向は、第２エッジ面２１に実質的に平行である。
【０１３９】
ある態様によれば、第２パネル２０ａは、第３エッジ面２３を備え、機械的ロック装置３０のパネル溝１３３は、第３エッジ面２３にさらに配置される。
【０１４０】
ある態様によれば、第２パネル２０ａは第４エッジ面２４を備え、機械的ロック装置３０のパネル溝１３３は、第４エッジ面２４にさらに配置される。
【０１４１】
ある態様によれば、パネル溝１３３は、第３エッジ面２３から第４エッジ面２４まで延びる。
【０１４２】
ある態様によれば、挿入溝３２は、底終端ドリル穴などの底面４６を備える底終端溝であり、当該底面４６は、パネル溝１３３から距離を置いて配置される。
【０１４３】
ある態様によれば、第１エッジ面１１は、２つ以上の前記ロッド形状要素３１を備え、第２パネル面２２は、好ましくは直線的に配置される１つ以上のパネル溝１３３及び２つ以上の前記挿入溝３２を備え、ロッド形状要素３１の各々は、挿入溝３２のうちの１つに挿入されるように構成される。
【０１４４】
ある態様によれば、第１パネル１０と第２パネル２０ａとの間のロック位置において、パネル溝１３３は、解体ロッド４０を受けるように構成される。
【０１４５】
解体ロッド４０がパネル溝１３３に受けられる場合、パネル溝１３３において可撓性舌部６を内側に曲げるためにロッド形状要素３１は解体ロッド４０と協働するように構成される。その後、可撓性舌部６がパネル溝１３３において内側に曲げられる場合、第２パネル２０ａからのパネル１０を解体するように、ロッド形状要素３１及び解体ロッド４０は、挿入溝３２において外側に移動可能であり、挿入溝３２から外側へ移動可能であるように構成される。パネル溝１３３が第２パネル面２２から延びるので、解体は、上記の解体方法よりも少ないステップで行われうる。これは、挿入溝３２及びパネル溝１３３が１つの同じ面に、第２パネル面２２に、配置されるためである。
【０１４６】
ある態様によれば、機械的ロック装置３０は、ロッド形状要素３１が挿入溝３２に挿入されて第１エッジ面１１が第２パネル面２２に接触して配置される場合に、第１パネル１０を第２パネル２０ａに対して自動的にロックするように構成される。
【０１４７】
ある態様によれば、可撓性舌部６は、ロック位置において、ロッド形状要素３１の凹部３４と、パネル溝１３３の底面１３５との間に配置される。ある態様によれば、第２エッジ面２１は、第２パネル面２２に対して本質的に垂直である。
【０１４８】
ある態様によれば、上記によるロッド形状要素３１は、上記によるエッジ溝３３を備える第２パネル２０に対して又は上記によるパネル溝１３３に対して接続されることができる。
【０１４９】
ある態様によれば、第２パネル２０、２０ａは、１つ以上のエッジ溝３３及び１つ以上のパネル溝１３３を備える。ある態様によれば、第２パネル２０、２０ａは、２つ以上の第１パネル１０に接続されてロックされている。
【０１５０】
挿入溝３２は、第２パネル面２２において及び第２パネル２０のコアにおいて形成されてもよい。
【０１５１】
第２パネル面２２は装飾層を備えてもよく、挿入溝は装飾層を通って延びてもよい。
【０１５２】
挿入溝は、フライス加工又は鋸引きなどの機械的切断によって形成されてもよい。
【０１５３】
エッジバンドなどのエッジ要素は、ある態様によれば、エッジ溝を覆うために及び第２エッジ２１を補強するために、第２エッジに取り付けられる。エッジ要素は、第２エッジに接着されてもよいし又は機械的ロック装置によって取り付けられてもよいし、当該機械的ロック装置は、エッジ要素から突出してエッジ溝５３に挿入されるように構成される部分を備えてもよい。その部分は摩擦によってエッジ溝に取り付けられてもよい。エッジ要素は、ある態様によれば、解体ロッド４０がエッジ溝３３に挿入されうるように、第３及エッジ面２３び／又は第４エッジ面２４を覆わない。エッジ要素は、ある態様によれば、解体ロッド４０がエッジ溝３３に挿入されうるように取り外し可能である。
【０１５４】
ある態様によれば、第２パネルは、２つ以上の前記エッジ溝５を備えてもよい。
【０１５５】
ある態様によれば、第１パネル１０は、上記による２つ以上の第１エッジ面１１を備える。別の言い方をすれば、１つ以上のロッド形状要素３１は、図１５及び１７に開示されるように、第１パネル１０の２つ以上のエッジに配置されることができる。
【０１５６】
ある態様によれば、１つの第１パネル１０の１つの第１エッジ面１１における１つ以上のロッド形状要素３１は、第１パネル１０の別の第１エッジ面１１において１つ以上のロッド形状要素を考慮してオフセットに配置される。ロッド形状要素３１を第１パネル１０の異なる第１エッジ面１１においてオフセットして配置することにより、第１エッジ面１１でのロッド形状要素３１の位置が、それが接続されることが意図されている第２パネル面２２での挿入溝３２の位置に対応するのみである場合に、異なる第１パネル及び第２パネル１０、２０、２０ａの意図しない組み立てを回避することができる。
【０１５７】
ある態様によれば、１つの第２パネルは、図１５に開示されるように４つの第１パネルに接続されることができる。ある態様によれば、図１５及び１６に開示されるように、第２パネル２０は、２つの第２パネル面２２を備え、１つ以上の挿入溝３２が第２パネル面２２のうちの一方から延在し、１つ以上の挿入溝３２が他方の第２パネル面２２から共通のエッジ溝３３まで延びる。
【０１５８】
ある態様によれば、パネルは、第１パネル１０及び第２パネル２０、２０ａの組み合わせとしうるものであり、一のエッジにおいてロッド形状要素３１を備えることができ、及びパネル面においてパネル溝１３３を備えることができ、及び／又は、図１７に開示されるように、別のエッジ面においてエッジ溝を備えることができる。
【０１５９】
可撓性舌部６は、ＷＯ２０１５／１０５４４９の図２Ａ〜２Ｆに記載及び示されている可撓性舌部によってもよい。ＷＯ２０１５／１０５４４９の図２Ａ〜２Ｆ及び６ページ、１５行目から７ページ、２行目までの関連する開示は、これによって参照によりここに明示的に組み込まれる。
【０１６０】
第１パネル１０の及び／又は第２パネル２０、２０ａのコアは、好ましくはＭＤＦ、ＨＤＦ、ＯＳＢ、ＷＰＣ、合板又はパーティクルボードで作られた、木材ベースのコアであってもよい。コアはまた、例えばビニル、ＰＶＣ、ＰＵ又はＰＥＴの熱可塑性プラスチック又は熱硬化性プラスチックを備えるプラスチックコアであってもよい。プラスチックコアは、フィラーを備えてもよい。
【０１６１】
第１パネル１０及び／又は第２パネル２０、２０ａはまた、無垢木材のものであってもよい。
【０１６２】
第１パネル１０及び／又は第２パネル２０、２０ａは、１つ以上の面上における箔又はベニヤなどの装飾層とともに設けられてもよい。
【０１６３】
ある態様によれば、セット１は、引き出しの底部の１つ、家具製品のフレーム及び背面部である。
【０１６４】
ある態様によれば、パネルのセットは弾力性のあるパネルである。弾力性のあるパネルは、熱可塑性材料を備えるコアを備えてもよい。熱可塑性材料は発泡されてもよい。
【０１６５】
熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、又はそれらの組み合わせを備えてもよい。コアはいくつかの層で形成されてもよい。
【０１６６】
上記の態様は、熱可塑性材料を含む装飾箔などの装飾層を備えてもよい。装飾層の熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、又はそれらの組み合わせであってもよいし、又は含んでいてもよい。装飾箔は、好ましくは、例えば、直接印刷、輪転グラビア印刷、又はデジタル印刷によって印刷される。ある態様によれば、装飾層は、メラミン、高圧ラミネート（ＨＰＬ）、又はベニヤを含む。
【０１６７】
上記の態様は、フィルム又は箔などの摩耗層を含みうる。摩耗層は、熱可塑性材料を含みうる。熱可塑性材料は、ポリ塩化ビニル（ＰＶＣ）、ポリエステル、ポリプロピレン（ＰＰ）、ポリエチレン（ＰＥ）、ポリスチレン（ＰＳ）、ポリウレタン（ＰＵ）、ポリエチレンテレフタレート（ＰＥＴ）、ポリアクリレート、メタクリレート、ポリカーボネート、ポリビニルブチラール、ポリブチレンテレフタレート、又はそれらの組み合わせであってもよい。
【０１６８】
上記の態様は、ＨＤＦ、ＭＤＦ、合板、パーティクルボード、ＯＳＢ又はメゾナイト（Ｍａｓｏｎｉｔｅ）などの木材ベースコアを含みうる。
【０１６９】
上記の様々な態様、実施形態、及び代替は、他の記載された態様、実施形態、及び代替のうちの１以上と組み合わせられうる。
【図１ａ】
2021521387.tif 000003
【図１ｂ】
2021521387.tif 000004
【図１ｃ】
2021521387.tif 000005
【図２ａ】
2021521387.tif 000006
【図２ｂ】
2021521387.tif 000007
【図３】
2021521387.tif 000008
【図４】
2021521387.tif 000009
【図５ａ】
2021521387.tif 000010
【図５ｂ】
2021521387.tif 000011
【図６ａ】
2021521387.tif 000012
【図６ｂ】
2021521387.tif 000013
【図６ｃ】
2021521387.tif 000014
【図６ｄ】
2021521387.tif 000015
【図６ｅ】
2021521387.tif 000016
【図７ａ】
2021521387.tif 000017
【図７ｂ】
2021521387.tif 000018
【図８ａ】
2021521387.tif 000019
【図８ｂ】
2021521387.tif 000020
【図９】
2021521387.tif 000021
【図１０】
2021521387.tif 000022
【図１１】
2021521387.tif 000023
【図１２ａ】
2021521387.tif 000024
【図１２ｂ】
2021521387.tif 000025
【図１３ａ】
2021521387.tif 000026
【図１３ｂ】
2021521387.tif 000027
【図１４ａ】
2021521387.tif 000028
【図１４ｂ】
2021521387.tif 000029
【図１５】
2021521387.tif 000030
【図１６】
2021521387.tif 000031
【図１７】
2021521387.tif 000032
【図１８ａ】
2021521387.tif 000033
【図１８ｂ】
2021521387.tif 000034
【図１８ｃ】
2021521387.tif 000035
【国際調査報告】
2021521387.tif 000036
2021521387.tif 000037
2021521387.tif 000038
2021521387.tif 000039